(57)【要約】【課題】従来のグリップ握持用手袋では、手袋を装着してグリップを握持したときに、指先（指袋先端部）の若干長さ範囲（例えば５〜７ｍｍ程度）がグリップ外面に接触せず、その分、グリップ力が弱くなる。【解決手段】指袋２の先端寄り指平部に突起部３を形成して、手袋を装着してグリップＧを握持したときに指Ｆの先端寄り部分とグリップ外面との間に突起部３を介在させ得るようにすることにより、グリップ握持時に手指先端部分からの力も突起部３を介してグリップ外面に作用させるようにした。【選択図】      図１
2004270048.tif 000002
【特許請求の範囲】
【請求項１】
指袋（２）の先端寄り指平部に、手袋を装着してグリップ（Ｇ）を握持したときに指（Ｆ）の先端寄り部分とグリップ外面との間に介在される突起部（３）を形成していることを特徴とするグリップ握持用手袋。
【請求項２】
請求項１において、突起部（３）は、指先側（３ａ）が厚肉部（３１ａ）で指付根側（３ｂ）が薄肉部（３１ｂ）となる段差付き形状に形成していることを特徴とするグリップ握持用手袋。
【発明の詳細な説明】
【０００１】
【発明の属する技術分野】
本願発明は、スポーツ用手袋に関し、さらに詳しくは、例えばゴルフクラブ・テニスラケット・野球バット等のグリップを握持するとき、あるいは競技用自転車のハンドルグリップを握持するとき等に使用するグリップ握持用手袋に関するものである。
【０００２】
【従来の技術】
グリップを握持して行う競技として、例えばゴルフ、テニス、野球等があり、そのほかにも自転車競技（ロードレースや競輪等）がある。そして、球技用（ゴルフ、テニス、野球等）では打球の瞬間（インパクト時）にグリップを強く握ることがプレーに（飛距離及び打球の強さの点で）有効であり、又、自転車競技では、ハンドルグリップを強く握ってハンドルを安定させることがスピードアップ及び転倒防止等に有効である。
【０００３】
又、グリップ握持時には、主として人差し指から小指までの４指で強いグリップ力（握持力）を発生させることができるが、その中でも特に指先部分（先端から第１関節までの範囲）で大きなグリップ力を発生させることができる。
【０００４】
従来から、この種のグリップ握持用手袋として、例えば実開平５−８５３６３号公報（特許文献１）又は登録実用新案第３０６２５７９号（特許文献２）に示すように、手袋平側の外面に滑り止め加工を施したものが多数見受けられる。そして、これらの滑り止め加工を施した手袋では、例えば図５に示すように手に装着してグリップＧを握持したときに、手袋平側の滑り止め加工部分がグリップ外面に対して摩擦力が大きくなって、手袋が滑らないという機能を有する。
【０００５】
ところで、手袋を装着してグリップＧを握持したときのグリップ力は、主として指先部分でグリップＧを掌側に引き寄せる（押し付ける）ことで発生し、従って、指先部分（第１関節より先側部分）によるグリップ力が他の部分（第１関節と第２関節間、及び第２関節と第３関節間）より大きくなる。
【０００６】
【特許文献１】
実開平５−８５３６３号公報
【特許文献２】
登録実用新案第３０６２５７９号
【０００７】
【発明が解決しようとする課題】
ところが、上記特許文献１又は特許文献２の手袋を装着して図５に示すようにグリップＧを握持したときには、各指袋２の平側面の大部分がグリップＧの外面に密着するものの、指先Ｆａの指平面は凸状に湾曲しているので、指袋先端寄りの指平部２０が若干長さ範囲（例えば５〜７ｍｍ程度の長さ範囲）に亘ってグリップ外面に接触しないという現象が現れる。尚、グリップ握持時において、指袋先端部のグリップ外面に接触しない部分の面積は、指の第１関節より先側の指平部（最もグリップ力が大きくなる部分）の面積の２０〜２５％に達する。
【０００８】
このように、従来の手袋においては、グリップ握持時に、グリップ力の大きい指先（指袋）先端部がグリップ外面に接触しない面積がかなりあり、その分、グリップ握持時に付与できるグリップ力が小さくなるという問題があった。尚、グリップ握持時におけるグリップ力が小さいと、例えばゴルフクラブ・テニスラケット・野球バット等のグリップを握ってスイングしたときの打球力が小さくなったり、あるいは自転車競技（ロードレースや競輪）時においてハンドルの保持力が小さくなったりする。
【０００９】
又、手指Ｆの指先Ｆａは敏感な部分であるが、グリップ握持時に、指先Ｆａの平側面とグリップＧの外面との間に単に指平材２１が介在しているだけでは、指先Ｆａによるグリップ押圧感（握持感）が乏しくなる。従って、図５に示す従来の手袋では、グリップ握持時におけるグリップ力が不十分であるかのような感覚が発生し易くなる。
【００１０】
本願発明は、上記事情に鑑み、手指の先端部までグリップ力を発生させ得るようにしたグリップ握持用手袋を提供することを第１の目的とする一方、手袋装着状態でグリップを握持したときに指袋先端部がグリップ外面に対して滑りにくくすることを第２の目的としてなされたものである。
【００１１】
【課題を解決するための手段】
本願発明は、上記課題を解決するための手段として次の構成を有している。尚、本願発明は、例えばゴルフ、テニス、野球用や自転車競技用等のスポーツ用手袋であって、各種用具のグリップを握持するときに使用するグリップ握持用手袋を対象にしている。
【００１２】
本願請求項１の発明
本願請求項１の発明のグリップ握持用手袋は、指袋の先端寄り指平部に、手袋を装着してグリップを握持したときに指の先端寄り部分とグリップ外面との間に介在される突起部を形成していることを特徴としている。
【００１３】
この手袋の材料としては、皮革や合成皮革あるいは布地等の汎用の生地が使用可能である尚又、手袋の本体部分は、手平材、手甲材、マチ材、親指袋材等のパーツを常法により縫製して成形できる。
【００１４】
突起部を形成すべき指袋は、特に限定するものではないが、親指袋を除く４指袋にするとよい。又、この突起部は、親指袋にも形成することが可能である。尚、該突起部は、上記４指袋のうちの少なくとも何れか１本にあればよい。
【００１５】
この突起部は、指袋の先端寄り指平部に形成されているが、手指の第１関節より先側の範囲に位置させている。又、この突起部は、可及的に指袋先端に達する位置まで形成することが好ましい。
【００１６】
この突起部は、例えば次のようにして指平材の先端部外面に形成できる。即ち、この突起部には、若干の可撓性を有する硬質材（例えばゴム）からなる詰物を使用できる。そして、該詰物を指平材の先端部外面にあてがい、その詰物の外側に被覆材を被せて、該被覆材と指平材とを詰物周囲においてミシン縫いすることで突起部を形成することができる。
【００１７】
この請求項１のグリップ握持用手袋を装着して、例えば自転車のハンドルグリップを握持すると、指袋の先端寄り指平部にある突起部がグリップ外面に接触する。従って、手指の先端部平側面とグリップ外面との間には、通常の指平材生地のほかに突起部が介在されており、手指先端部は該突起部を介してグリップ外面に間接接触することになる。即ち、従来の手袋であれば、図５の従来例のように手指先端部の若干長さ範囲（例えば５〜７ｍｍ態度の長さ範囲）がグリップ外面から離間しているが、本願では、その隙間部分が突起部で埋められている。そして、この状態で手指を強く握ると、指先部分からの押圧力が突起部を介してグリップ外面に作用し、グリップ力（握持力）を増強させるようになる。又、このとき、手指先端部の平側面に押圧力の反力が伝わり、該手指先端部でグリップを強く握持していることが実感として確認できる。
【００１８】
本願請求項２の発明
本願請求項２の発明は、上記請求項１のグリップ握持用手袋において、突起部を、指先側が厚肉部で指付根側が薄肉部となる段差付き形状に形成していることを特徴としている。
【００１９】
このように、突起部の指先側を指付根側より厚くすると、この手袋を装着してグリップを握持したときに、突起部の指先側（厚肉部）と指付根側（薄肉部）とが同時にグリップ外面に接触し易くなる。従って、グリップ外面に対する突起部の接触面積が増大するとともに、突起部の指先側（厚肉部）がグリップ外面に引っ掛かって滑り止め機能を発揮する。
【００２０】
【発明の効果】
本願発明のグリップ握持用手袋は、次のような効果がある。
【００２１】
本願請求項１の発明の効果
この請求項１のグリップ握持用手袋では、指袋の先端寄り指平部に突起部を形成して、グリップ握持時に該突起部が手指先端部の平側面とグリップ外面との間に介在するようにしているので、手指を強く握ると手指先端部分からの力が突起部を介してグリップ外面に作用し、グリップ力（握持力）を増強させることができるという効果がある。又、このとき、手指先端部の平側面にグリップ押圧力の反力が伝わり、該手指先端部でグリップを強く握持していることが実感として確認でき、グリップ感覚が良好になるという効果もある。
【００２２】
本願請求項２の発明の効果
本願請求項２の発明は、上記請求項１のグリップ握持用手袋において、突起部を、指先側が厚肉部で指付根側が薄肉部となる段差付き形状に形成しているので、この手袋を装着してグリップを握持すると、突起部の指先側（厚肉部）と指付根側（薄肉部）とが同時にグリップ外面に接触し易くなる。従って、この請求項２のグリップ握持用手袋では、上記請求項１の効果に加えて、グリップ外面に対する突起部の接触面積が増大するとともに、突起部の指先側（厚肉部）がグリップ外面に引っ掛かって滑り止め機能を発揮するという効果がある。
【００２３】
【発明の実施の形態】
図１〜図４を参照して本願実施形態のグリップ握持用手袋を説明する。尚、この実施形態では、グリップ握持用手袋として自転車競技用（特に競輪用）のものを採用しているが、用途としては自転車競技用のほかに、ゴルフ用、テニス用、野球のバッティング用等にも使用できる。
【００２４】
図１の手袋１は、手平材、手甲材、複数のマチ材、親指袋材等の各パーツを常法により縫製して製作されている。尚、手袋生地としては、皮革、合成皮革、布地等の汎用の生地を単独あるいは組み合わせて使用できる。
【００２５】
この実施形態の手袋１には、図１に示すように、親指袋を除く４指袋（人差し指袋から小指袋まで）２，２・・の先端寄り指平部にそれぞれ突起部３，３・・を形成している。この各突起部３，３・・は、手袋を装着して図４に示すようにグリップＧを握持したときに、指Ｆの先端寄り部分ＦａとグリップＧの外面との間に介設されるものである。
【００２６】
図２は、図１の中指袋２部分の断面図であるが、人差し指袋、薬指袋、小指袋も図２と同じ断面構造となっている。そして、各指袋２，２・・は、図３に示すように、指平材２１と、指甲材２２と、左右２枚のマチ材２３，２３とを常法により袋状に縫合して形成される。
【００２７】
突起部３は、図１及び図２に示すように、４指袋２，２・・の各先端寄り指平部に形成されているが、この各突起部３は、詰物３１とその外側を被覆する被覆材３２とで形成される。
【００２８】
突起部３を形成する詰物３１には、若干の可撓性を有するゴム等の硬質材を使用している。この詰物３１は、左右幅が１０ｍｍ程度で長さが２０ｍｍ程度の面積を有している。又、この詰物３１は、図２及び図３に示すように、指先側が厚く（厚肉部３１ａ）、指付根側が薄い（薄肉部３１ｂ）段差付き形状に形成している。指先側の厚肉部３１ａは、最大厚さが約５ｍｍ程度である。又、該指先側の厚肉部３１ａは、先端側に向けて下降傾斜している。指付根側の薄肉部３１ｂは、厚さが１〜２ｍｍ程度である。指先側の厚肉部３１ａと指付根側の薄肉部３１ｂとの間には、グリップＧの外周面に沿う形状の曲面部３１ｃとなっている。
【００２９】
被覆材３２は、皮革のような強靭なシート状材料が使用されている。尚、この被覆材３２は、詰物３１よりやや大きい面積を有している。
【００３０】
そして、突起部３は次のようにして指袋２の先端寄り指平部に形成される。即ち、詰物３１を指平材２１の先端部外面にあてがい、その詰物３１の外側に被覆材３２を被せて、該被覆材３２と指平材２１とを詰物３１の周囲においてミシン縫い（ミシン目３３）することで突起部３を形成することができる。尚、被覆材３２は、詰物３１の外面全面に密着する状態（弛みがない状態）で被覆されている。又、この突起部３は、手袋１を手に装着したときに、手指Ｆの第１関節より先側部分Ｆａに対応するように位置し、且つ可及的に指袋先端に達する位置まで形成するようにしている。
【００３１】
この実施形態のグリップ握持用手袋は、例えば自転車競技用に使用される。そして、この手袋１を装着して、図４に示すように自転車のハンドルグリップＧを握持すると、指袋２の先端寄り指平部にある突起部３がグリップＧの外面に接触する。従って、手指Ｆの先端部ＦａとグリップＧの外面との間には、通常の指平２１材のほかに突起部３が介在されており、手指先端部Ｆａは該突起部３を介してグリップ外面に間接接触することになる。即ち、従来の手袋であれば、図５の従来例のように手指先端部Ｆａの若干長さ範囲（符号２０部分で５〜７ｍｍ態度の長さ範囲）がグリップ外面から離間しているが、この実施形態の手袋１では、その隙間部分が突起部３で埋められている。そして、この状態で手指Ｆを強く握ると、手指先端部分Ｆａからの押圧力が突起部３を介してグリップ外面に作用し、それによってグリップ力が増強される。又、このとき、手指先端部Ｆａの平側面に押圧力の反力が伝わり、該手指先端部ＦａでグリップＧを強く握持していることが実感として確認できる。
【００３２】
又、この実施形態の手袋１では、各突起部３，３・・の指先側（厚肉部３ａ）を指付根側（薄肉部３ｂ）より厚くしているので、この手袋１を装着してグリップＧを握持したときに、突起部３の指先側（厚肉部３ａ）と指付根側（薄肉部３ｂ）とが同時にグリップ外面に接触し易くなる。従って、グリップ外面に対する突起部３の接触面積が増大するとともに、突起部３の指先側（厚肉部３ａ）がグリップ外面に引っ掛かって滑り止め機能を発揮する。
【００３３】
尚、この実施形態のグリップ握持用手袋１は、自転車のハンドルグリップのほかに、ゴルフクラブ、テニスラケット、野球バット等のグリップを握るときにも、指袋先端部の突起部３がグリップ外面に接触し、指先によるグリップ力を増強させることができる。
【図面の簡単な説明】
【図１】本願実施形態のグリップ握持用手袋を平側から見た平面図である。
【図２】図１のＩＩ−ＩＩ拡大断面図である。
【図３】図１の手袋の指袋部分の分解斜視図である。
【図４】図１の手袋を装着してグリップを握持している状態の断面図である。
【図５】従来の手袋を装着してグリップを握持している状態の断面図である。
【符号の説明】
１は手袋、２は指袋、３は突起部、３ａは突起部の指先側、３ｂは突起部の指付根側、２１は指平材、３１は詰物、３２は被覆材である。
【図１】
2004270048.tif 000003
【図２】
2004270048.tif 000004
【図３】
2004270048.tif 000005
【図４】
2004270048.tif 000006
【図５】
2004270048.tif 000007